(57)【特許請求の範囲】
【請求項１】
カードリーダ内部にカードの取り込みを許容する開閉自在のシャッタと、カード挿入口を有し前記カードを搬送するカード搬送路と、前記カードのカード面に当接可能なカッタと、前記カッタを前記カード搬送路内に進入する方向に付勢する付勢部材と、前記カッタと係合し前記カード搬送路内への進入を止める係止部材と、前記係止部材を駆動する駆動手段とを備え、前記シャッタが開位置にあるときにカードの異常停止を検出したときには、前記駆動手段により前記係止部材が作動し前記カッタが異常停止したカードのカード面に当接することを特徴とするカードリーダ。
【請求項２】
前記カッタは前記カード挿入口から前記カードの長さの範囲内に設けられていることを特徴とする請求項１記載のカードリーダ。
【請求項３】
前記カッタが前記カード搬送路内に移動する際、前記カッタの移動を規制する規制部を有することを特徴とする請求項１または２記載のカードリーダ。
【請求項４】
前記カッタの移動をガイドするガイド部を有することを特徴とする請求項１から３のいずれかに記載のカードリーダ。
【請求項５】
カードリーダ内部にカードの取り込みを許容する開閉自在のシャッタと、カード挿入口を有し前記カードを搬送するカード搬送路と、前記カードのカード面に当接可能なカッタと、前記カッタを前記カード搬送路内に進入する方向に付勢する付勢部材と、前記付勢部材と係合し前記カード搬送路内への進入を止める係止部材と、前記係止部材を駆動する駆動手段と、前記カッタに設け前記カード面に当接する弾性部材とを備え、前記シャッタが開位置にあるときにカードの異常停止を検出したときには、前記駆動手段により前記係止部材が作動し前記カッタが異常停止したカードのカード面に当接する前に前記弾性部材が前記カード面に押し当てられることを特徴とするカードリーダ。
【請求項６】
前記カッタは前記カード挿入口から前記カードの長さの範囲内に設けられていることを特徴とする請求項５記載のカードリーダ。
【請求項７】
前記カッタが前記カード搬送路内に移動する際、前記カッタの移動を規制する規制部を有することを特徴とする請求項５または６記載のカードリーダ。
【請求項８】
前記カッタの移動をガイドするガイド部を有することを特徴とする請求項５から７のいずれかに記載のカードリーダ。
【発明の詳細な説明】
【０００１】
【発明の属する技術分野】
本発明は、カードリーダに関する。さらに詳述すると、本発明は、カードリーダにおけるカードの詐取行為を防止するための構造に関する。
【０００２】
【従来の技術】
従来のカードリーダ１０１では、図６に示すように、カード挿入口に例えばソレノイドで開閉されるシャッタ１０２を設けて、カード１０３以外の異物が挿入されるのを防止すると共にカードリーダ内で詰まったカード１０３が不正に取り出されて盗まれることがないようにして、カードリーダ１０１のセキュリティが図られている。このカードリーダ１０１では、カード１０３がカード挿入口１０４より挿入されると、シャッタ１０２がカード通路から退避して、挿入されたカード１０３をカードリーダ１０１内部に取り込み得るように設けられている。また、カード１０３がシャッタ１０２より中へ入ってしまうと、シャッタ１０２が閉じて、不正行為によってカード１０３が取り出されるのを防いでいる。
【０００３】
【発明が解決しようとする課題】
しかしながら、従来のカードリーダ１０１では、図７に示すように、不正者が何らかの細工を施してシャッタ１０２の開閉位置上でカード１０３を意図的に詰まらせるような不正行為を働いた場合、シャッタ１０２は完全には閉じることができず、シャッタとしての機能を果たすことができない。この際、カード１０３の詰まった位置がカード１０３を指で摘まんで引き出し難い場所である場合等には、使用者がカード１０３を取り出すことができないので、係員等を呼ぶためにカードリーダ１０１から離れてしまうことがある。この隙に、不正者が工具等を使用してカード１０３を取り出し持ち去る虞がある。
【０００４】
このように、シャッタ１０２を備えた従来のカードリーダ１０１においても、カード１０３を詐取する巧妙な手口によって、カード１０３を取り出され、持ち去られる問題は残っている。
【０００５】
そこで本発明は、シャッタが閉まらない場合にもカードの不正な取り出しを阻止できるカードリーダを提供することを目的とする。
【０００６】
【課題を解決するための手段】
かかる目的を達成するため、請求項１記載の発明のカードリーダは、カードリーダ内部にカードの取り込みを許容する開閉自在のシャッタと、カード挿入口を有しカードを搬送するカード搬送路と、カードのカード面に当接可能なカッタと、カッタをカード搬送路内に進入する方向に付勢する付勢部材と、カッタと係合しカード搬送路内への進入を止める係止部材と、係止部材を駆動する駆動手段とを備え、シャッタが開位置にあるときにカードの異常停止を検出したときには、駆動手段により係止部材が作動しカッタが異常停止したカードのカード面に当接するようにしたものである。
【０００７】
カードを取り扱うカードリーダにおいては、例えばカードが内部で滞留し、使用者側への排出も、カードリーダ内部への取り込みも不可能となった場合に、カードを詐取するために何らかの細工を施してシャッタの開閉位置上でカードを意図的に停止させる不正行為（以下、単に不正行為という）を防止し、カードが抜き取られるのを防ぐ必要があるところ、本発明のカードリーダでは、不正行為が起きても異常停止が検出され、カード抜き取りを阻止する阻止機構が動作し、カードの移動を阻止して強制的にカードリーダ内部に滞留させることができる。
【０００８】
しかも、カッタはカードのカード面に接触する程度の力で当接させ、傷を付ける程の押圧力は与えないようにすることで、駆動手段が誤動作した場合でもカードに大きなダメージを与えるのを防止できる。加えて、この状態で不正者がカードを故意に引き抜いた場合は阻止機構によってカッタをカードに食い込ませることでカードをそれ以上引き出すことを不可能とし、さらにはカードのデータを壊滅的に破壊することで仮にカードが引き出されたとしてもカードの不正使用を防ぐことができる。
【０００９】
このカードリーダは、請求項２記載の発明のように、カッタはカード挿入口からカードの長さの範囲内に設けられていることが好ましい。この場合、不正行為時、カードがカード挿入口からはみ出していても不正者がカードを引っ張り出せないように強制滞留させることができる。
【００１０】
また、カードリーダは、請求項３記載の発明のように、カッタがカード搬送路内に移動する際、カッタの移動を規制する規制部を有するものであることが好ましい。この規制部によれば、例えば、カッタがカード面との接触状態を保ち、さらには確実に食い込むように動きを規制できる。したがって、カードの強制滞留がより確実なものとなる。
【００１１】
さらに、カードリーダは、請求項４記載の発明のように、カッタの移動をガイドするガイド部を有することが好ましい。ガイド部がカッタをガイドすることにより、カッタの刃をカード面に接触させることができる。また、カッタの刃をカード面に接触させた後は、カードを故意に抜き出した時点ではじめて強制滞留機能が機械的に働くようにカッタの移動ガイドすることができる。
【００１２】
請求項５記載の発明のカードリーダは、カードリーダ内部にカードの取り込みを許容する開閉自在のシャッタと、カード挿入口を有しカードを搬送するカード搬送路と、カードのカード面に当接可能なカッタと、カッタをカード搬送路内に進入する方向に付勢する付勢部材と、付勢部材と係合しカード搬送路内への進入を止める係止部材と、係止部材を駆動する駆動手段と、カッタに設けカード面に当接する弾性部材とを備え、シャッタが開位置にあるときにカードの異常停止を検出したときには、駆動手段により係止部材が作動しカッタが異常停止したカードのカード面に当接する前に弾性部材がカード面に押し当てられるようにしたものである。
【００１３】
このカードリーダは、例えばカードが内部で滞留し、使用者側への排出もカードリーダ内部への取り込みも不可能となった場合に不正行為が起きても、異常停止が検出され、カード抜き取りを阻止する阻止機構が動作し、カードの移動を阻止して強制的にカードリーダ内部に滞留させることができる。また、カッタはカードのカード面に接触する程度の力で当接させ、傷を付ける程の押圧力は与えないようにすることでカードに大きなダメージを与えるのを防止できることに加え、この状態で不正者がカードを故意に引き抜いた場合は阻止機構によってカッタをカードに食い込ませてカードをそれ以上引き出すことを不可能とし、さらにはカードのデータを壊滅的に破壊することで仮にカードが引き出されたとしてもカードの不正使用を防ぐことができる。
【００１４】
しかも、このカードリーダでは、カッタがスライド移動した場合に、カッタの刃とともに弾性部材をカード面に当接させることができる。したがって、この状態で不正者がカードを引き抜いた場合に、弾性部材とカード面との摩擦によってカッタを確実に移動させることができる。
【００１５】
このカードリーダは、請求項６記載の発明のように、カッタはカード挿入口からカードの長さの範囲内に設けられていることが好ましい。この場合、不正行為時、カードがカード挿入口からはみ出していても不正者がカードを引っ張り出せないように強制滞留させることができる。
【００１６】
また、カードリーダは、請求項７記載の発明のように、カッタがカード搬送路内に移動する際、カッタの移動を規制する規制部を有するものであることが好ましい。この規制部によれば、例えば、カッタがカード面との接触状態を保ち、さらには確実に食い込むように動きを規制できる。したがって、カードの強制滞留がより確実なものとなる。
【００１７】
さらに、カードリーダは、請求項８記載の発明のように、カッタの移動をガイドするガイド部を有することが好ましい。ガイド部がカッタをガイドすることにより、カッタの刃をカード面に接触させることができる。また、カッタの刃をカード面に接触させた後は、カードを故意に抜き出した時点ではじめて強制滞留機能が機械的に働くようにカッタの移動ガイドすることができる。
【００１８】
【発明の実施の形態】
以下、本発明の構成を図面に示す実施の形態の一例に基づいて詳細に説明する。図１〜図３に、本発明のカードリーダの一実施形態を示す。
【００１９】
カードリーダ１は、カードリーダ１内部にカード３の取り込みを許容する開閉自在のシャッタ４と、カード挿入口２を有しカード３を搬送するカード搬送路２０と、カード３のカード面に当接可能なカッタ５と、カッタ５をカード搬送路２０内に進入する方向に付勢する付勢部材１５と、カッタ５と係合しカード搬送路２０内への進入を止める係止部材９と、係止部材９を駆動する駆動手段７とを備え、シャッタ４が開位置にあるときにカード３の異常停止を検出したときには、駆動手段７により係止部材９が作動しカッタ５が異常停止したカード３のカード面に当接するようにしたものであり、カッタ５、駆動手段７、係止部材９、付勢部材１５などで構成される阻止機構６がカード３の抜き取りを阻止する。
【００２０】
カッタ５は、図１に示すような切刃５ｃと、この切刃５ｃを支持しながら水平面内で回転し切刃５ｃをカード３の側方で移動させる切刃支持レバー５ｄとから構成され、図１に実線で示す退避位置５ａと想像線で示す当接位置５ｂとの間を移動可能である。このように、本実施形態ではカッタ５の切刃５ａをカード幅方向（図１においてＢで示す方向）にスライドさせ、カッタ５をカード搬送路２０内に移動させるとともにカード３の側部カード面（つまり側面）に当接させる。
【００２１】
また、カッタ５は、シャッタ４の開閉位置から図中矢印Ａに示すカード搬送方向に向けてカード３の長さの範囲内に配置、即ち、シャッタ４の開閉位置上でカード３が停止したためにシャッタ４が閉じることができない状態において、カッタ５の先端がカード３に対向する位置に配置されている。また、カッタ５はカード搬送方向に対して垂直となる様にカードリーダ１のフレーム２９に取り付けられている。さらに、カッタ５はカード３の磁気ストライプ以外の場所に当接するように配置される。これにより、磁気ストライプの損傷を回避し磁気データを保護することができる。
【００２２】
カッタ５のカード支持レバー５ｄは、図１に示すように２つのガイド孔２５，２６を備えている。また、カード搬送路２０を形成するフレーム２９に設けられた２つのガイドピン２７，２８が、それぞれガイド孔２５，２６に係合している。本実施形態のカードリーダ１では、これらガイド孔２５，２６およびガイドピン２７，２８によってカッタ５の移動をガイドするガイド部３３が構成されている。なお、ガイドピン２７，２８は、図２に示すように小フランジを備え、カード支持レバー５ｄをフレーム２９の上面から浮かせてスライドさせる。
【００２３】
ここで、本実施形態では、一方のガイド孔２５は直線状の孔とするが、もう一方のガイド孔２６は図１に示すようなＬ字形としている。これにより、このカッタ５は、カード幅方向Ｂに平行にスライドした後、さらにガイド孔２５を中心として揺動できる。ここで、カッタ５がガイド孔２５を中心として揺動すると、図１に示すように切刃５ｃは弧上を移動してカード３に接近する。そして、揺動に伴い切刃５ｃをカード３の側面に当接させることができる。
【００２４】
なお、フレーム２９の一部を、切刃５ｃがカード３に当接するのを補助するような形状に形成することが好適である。例えば本実施形態では、図１に示すようにフレーム２９に傾斜部からなる規制部２９ａを形成し、切刃支持レバー５ｄの曲げ部５ｇの動きを規制し、傾斜に沿ってカード３のカード面に向け押し出すようにしている。この規制部２９ａによれば、例えば、カッタ５がカード面との接触状態を保ち、さらには確実に食い込むように動きを規制できる。したがって、カード３の強制滞留がより確実なものとなる。
【００２５】
また、カード支持レバー５ｄは、図１に示すように常時その一端（例えば端部に設けられた曲げ部５ｆ）を付勢部材１５によって引っ張り付勢されている。付勢部材１５は、一端がフレーム２９の突起２９ｂに掛けられた例えば引っ張りコイルばねで、カッタ５を平行移動させ、かつ回転運動させ得るよう図示するようにカード支持レバー５ｄを斜め方向へ引っ張り付勢する。
【００２６】
さらに、カード支持レバー５ｄは、係止部材９の係止部１４と係合してカッタ５を退避位置５ａに保持する被係止部３０を備える。本実施形態では、図示するようにカード支持レバー５ｄの一部を上方に折り曲げて形成した曲げ部５ｅに長孔形状の被係止部３０を設けている。
【００２７】
係止部材９は、図２に示すようなＬ字形のレバーで、鉛直面内で揺動可能となるようフレーム２９上の支軸１０で回転可能に支持され、図２に示すロック位置９ａと解除位置９ｂとの間を移動する。係止部材９の移動には、駆動手段７の駆動力を用いる。本実施形態では、駆動手段７としてソレノイド（以下、ソレノイド７という。）を用いる。ソレノイド７はカードリーダ１のフレームに取り付けられて固定され、プランジャ８の周囲に取り付けた圧縮コイルばね３１の付勢力により非通電時（オフ状態）においてはこのプランジャ８を突出させているがオン状態においては吸引し、係止部９を連動させる。
【００２８】
また、係止部材９は一方の端部に突起状の係止部１４を備え、上下方向に移動させてカード支持レバー５ｄ上の被係止部３０に係合させる。また、もう一方の端部に設けられた係合孔１１はプランジャ８上の係合ピン１２と係合し、ソレノイド７の動きを受けて係止部材９を揺動させる。これにより、ソレノイド７がプランジャ８を突出させているときは係止部材９はロック位置９ａに位置し、ソレノイド７がプランジャ８を吸引したときは解除位置９ｂに移動する。そして、図２に示すロック位置９ａでは、係止部材９の係止部１４がカッタ５の係合ピン１３と係合して、カッタ５を退避位置５ａにてロックする。一方、解除位置９ｂでは、係止部１４と係合ピン１３との係合が外れて、カッタ５は移動可能となる。
【００２９】
また、カードリーダ１にはカード３の異常停止（詰まり）を検出する異常停止検出手段２１が備えられている。かかる異常停止検出手段２１として、例えば、カード搬送路２０でのカード３の存在を検出する複数のカード検出センサ２１を利用することができる。本実施形態では、第一のカード検出センサ２１ａをカッタ５の手前位置に、第二のカード検出センサ２１ｂを第一のカード検出センサ２１ａよりカード搬送方向奥側でシャッタ４からカード３の長さの範囲内に、第三のカード検出センサ２１ｃを第二のカード検出センサ２１ｂよりカード搬送方向奥側でシャッタ４からカード３の長さ以上離れた位置に、各々配置する。
【００３０】
このようにカード検出センサ２１が配置される場合、正常な場合であれば、カード３の搬送に伴って、カード検出センサ２１ａ，２１ｂ，２１ｃがカード３を順次検出する。しかし、第一のカード検出センサ２１ａがカード３を検出したが、その検出後から所定時間以上経過しても、第二のカード検出センサ２１ｂではカード３を検出できない場合や、第一及び第二のカード検出センサ２１ａ，２１ｂがカード３を検出したが、その検出後から所定時間以上経過しても、第三のカード検出センサ２１ｃではカード３を検出できない場合には、カード３が異常停止したと考えられる。したがって、カード検出センサ２１ａ，２１ｂ，２１ｃを使用してカード３の異常停止を検出することができる。なお、設置するカード検出センサ２１の数や位置は上述のものに限定されるものではないことはもちろんである。
【００３１】
また、シャッタ４には、シャッタ４の開位置を検知する検知センサ２２が接続されている。カード検出センサ２１によりカード３の異常停止が検出されても、シャッタ４が閉じた状態であれば、カード３の詐取を意図する不正者はカード３を取り出せない。しかし、シャッタ４が開いている状態であれば、不正者がカード３を取り出すことが可能となる。そこで、カード検出センサ２１によりカード３の異常停止が検出された場合であって、かつ検知センサ２２によってシャッタ４が開いたままの状態であることが検知されたときに、不正行為等によりシャッタ４の開閉位置上でカード３が異常停止したと判断し、阻止機構６を作動させてカード３の不正な取り出しを阻止する。
【００３２】
以上のように構成された本実施形態のカードリーダ１によれば、次のようにしてカード３の不正詐取を防ぎ得る。
【００３３】
まず、カード３がカード挿入口２に挿入されると、シャッタ４が開かれ、搬送ローラ２３が回転して図３に示すようにカード３がカードリーダ１内に取り込まれる。ここで、カード検出センサ２１ａ，２１ｂ，２１ｃが順次、カード搬送路２０内にカード３が存在していることを検出した場合は搬送動作が正常であると判断するため阻止機構６は作動しない。そして、カード３が所定位置まで取り込まれるとシャッタ４が閉じられ、カード３に対して所定の処理が行われる。
【００３４】
一方、カード検出センサ２１によりカード３の異常停止が検出され、しかも検知センサ２２によってシャッタ４が開いたままの状態（搬送不能状態）であることが検知された場合には、阻止機構６を作動させて、カード３の不正な取り出しを阻止する。なお、この場合において、カード搬送方向奥側の図示しない保留ボックスなどを備えていればカード回収という手段が採択し得るが、カード搬送が不可能であればソレノイド７をオンにして阻止機構６を作動させればよい。また、この時点でカード３の抜き取りをカード検出センサ２１や図示しないモータのエンコーダで検出した後、ソレノイド８をオンとするようにしてもよい。
【００３５】
阻止機構６のソレノイド７に通電するとオン状態となってプランジャ８が引かれ、係止部材９が揺動してロック位置９ａから解除位置９ｂに移動する。これにより、係止部１４と被係止部３０の係合が外れる。この結果、付勢部材１５により蓄えられた付勢力が解放されて、案内溝１８，１９に案内されるカッタ５を退避位置５ａからスライド移動させる。このとき、カッタ５の切刃５ｃはカード３のカード面（側面）に接触する程度の力で当接するのみで、傷を付ける程の押圧力は与えない。このため、電気的ノイズなどでソレノイド７が誤動作した場合でも、カード３に大きなダメージを与えない。
【００３６】
ただし、この状態で不正者がカード３を故意に引き抜くと、カード３の側面と切刃５ｃとの摩擦により、切刃支持レバー５ｄがガイドピン２７を中心としてカード挿入口２側（図２において下側）に揺動する。そうすると、カッタ５の切刃５ｃはカード３側に接近し、かつフレーム２９の規制部２９ａで押し出されてカード側面に食い込み、カード３の移動を阻止するのでカード３をそれ以上引き出すことを不可能とする。また、カード３に食い込んだ切刃５ａによってカード３のデータを部分的であっても壊滅的に破壊するようにすれば、不正者がカード３を手に入れても不正に使用されることを防ぐことができる。
【００３７】
なお、カッタ５を当接位置５ｂから退避位置５ａに戻すには、手動でカッタ５を付勢部材１５のばね力に抗して退避位置５ａに移動させる。そして係止部材９をロック位置９ａに移動させて、被係止部３０に係止部１４を係合させる。これにより、カッタ５が付勢部材１５のばね力を蓄積した状態で退避位置５ａにてロックされ、図１に示す待機状態となる。
【００３８】
なお、上述の実施形態は本発明の好適な実施の一例ではあるがこれに限定されるものではなく、本発明の要旨を逸脱しない範囲において種々変形実施可能である。
【００３９】
例えば、本実施形態ではカード３の側面にカッタ５先端の切刃５ｃのみを接触させ、両者間の摩擦によってカッタ５を揺動させるようにしたが、接触部分を増やすようにすることも好ましい。例えば、図４および図５に示すように、切刃支持レバー５ｄの下側に、曲げ部５ｈを介して、あるいは直接的にゴムなどの弾性部材３２を取り付けてもよい。この場合、カッタ５がカード幅方向Ｂにスライドすると、これら弾性部材３２を切刃５ｃと同時に、あるいは切刃５ｃよりも早くカード側面に接触させることができる。したがって、この状態で不正者がカード３を引き抜いた場合、弾性部材３２とカード３との摩擦によって切刃支持レバー５ｄを揺動させることができる。
【００４０】
また、本実施形態では、カッタ５をカード３の側面に当接させたが、カード側面に限定されることはなくカード表面（エンボス、磁気ストライプなどが形成されている面）であってもよい。
【００４１】
【発明の効果】
以上の説明から明らかなように、請求項１記載のカードリーダによると、カードが内部、中でも特にシャッタで挟まれた状態で滞留し、使用者側への排出も、カードリーダ内部への取り込みも不可能となった場合に、カードを詐取するために不正行為がなされても、異常停止を検出し、阻止機構を動作させ、カードの移動を阻止して強制的にカードリーダ内部に滞留させることができる。
【００４２】
しかも、カードのカード面に接触する程度の力でカッタを当接させることで駆動手段が誤動作した場合でもカードに大きなダメージを与えるのを防止できる。加えて、この状態で不正者がカードを故意に引き抜いた場合は阻止機構によってカッタをカードに食い込ませることでカードをそれ以上引き出すことを不可能とし、さらにはカードのデータを壊滅的に破壊することで仮にカードが引き出されたとしてもカードの不正使用を防ぐことができる。
【００４３】
また、請求項２記載のカードリーダによると、カッタはカード挿入口からカードの長さの範囲内に設けられているため、不正行為時、カードがカード挿入口からはみ出していても不正者がカードを引っ張り出せないように強制滞留させることができる。
【００４４】
さらに請求項３記載のカードリーダによると、カッタがカード搬送路内に移動する際、カッタの移動を規制する規制部を有することから、カッタとカード面との接触状態を保ち、さらには確実に食い込むように動きを規制できる。したがって、カードの強制滞留がより確実なものとなる。
【００４５】
また、請求項４記載のカードリーダによると、カッタの移動をガイドするガイド部を有することから、ガイド部がカッタをガイドすることにより、カッタの刃をカード面に接触させることができる。また、カッタの刃をカード面に接触させた後は、カードを故意に抜き出した時点ではじめて強制滞留機能が機械的に働くようにカッタの移動ガイドすることができる。
【００４６】
請求項５記載のカードリーダによると、カードが内部、中でも特にシャッタで挟まれた状態で滞留し、使用者側への排出も、カードリーダ内部への取り込みも不可能となった場合に、カードを詐取するために不正行為がなされても、異常停止を検出し、阻止機構を動作させ、カードの移動を阻止して強制的にカードリーダ内部に滞留させることができる。
【００４７】
しかも、カードのカード面に接触する程度の力でカッタを当接させることで駆動手段が誤動作した場合でもカードに大きなダメージを与えるのを防止できる。加えて、この状態で不正者がカードを故意に引き抜いた場合は阻止機構によってカッタをカードに食い込ませることでカードをそれ以上引き出すことを不可能とし、さらにはカードのデータを壊滅的に破壊することで仮にカードが引き出されたとしてもカードの不正使用を防ぐことができる。
【００４８】
加えて、このカードリーダによると、カッタがスライド移動した場合に、カッタの刃とともに弾性部材をカード面に当接させることができる。したがって、この状態で不正者がカードを引き抜いた場合に、弾性部材とカード面との摩擦によってカッタを確実に移動させることができる。
【００４９】
また、請求項６記載のカードリーダによると、カッタはカード挿入口からカードの長さの範囲内に設けられているため、不正行為時、カードがカード挿入口からはみ出していても不正者がカードを引っ張り出せないように強制滞留させることができる。
【００５０】
さらに請求項７記載のカードリーダによると、カッタがカード搬送路内に移動する際、カッタの移動を規制する規制部を有することから、カッタとカード面との接触状態を保ち、さらには確実に食い込むように動きを規制できる。したがって、カードの強制滞留がより確実なものとなる。
【００５１】
また、請求項８記載のカードリーダによると、カッタの移動をガイドするガイド部を有することから、ガイド部がカッタをガイドすることにより、カッタの刃をカード面に接触させることができる。また、カッタの刃をカード面に接触させた後は、カードを故意に抜き出した時点ではじめて強制滞留機能が機械的に働くようにカッタの移動ガイドすることができる。
【図面の簡単な説明】
【図１】本発明を適用したカードリーダの実施形態の一例を示す部分平面図である。
【図２】カードリーダの部分正面図である。
【図３】カードリーダの概略側面図である。
【図４】カード面に当接する弾性部材をカッタに設けたカードリーダを示す部分平面図である。
【図５】カード面に当接する弾性部材をカッタに設けたカードリーダを示す部分正面図である。
【図６】従来のカードリーダの概略側面図である。
【図７】従来のカードリーダにおいてシャッタ開閉位置上でカードが異常停止した状態を示す概略側面図である。
【符号の説明】
１  カードリーダ
２  カード挿入口
３  カード
４  シャッタ
５  カッタ
７  ソレノイド（駆動手段）
９  係止部材
１５  付勢部材
２０  カード搬送路
２９ａ  （フレーム上の）規制部
３２  弾性部材
３３  ガイド部
【図１】
0003865360.tif 000002
【図２】
0003865360.tif 000003
【図３】
0003865360.tif 000004
【図４】
0003865360.tif 000005
【図５】
0003865360.tif 000006
【図６】
0003865360.tif 000007
【図７】
0003865360.tif 000008